(57)【要約】【課題】非常に衛生的でしかも悪臭の問題を解消したペット用糞尿洗浄装置の提供を目的とするものである。【解決手段】中央を高くし、周辺を低くなるよう傾斜させてドーム状に形成したペット支持台と、該支持台を支承する支持脚と、該支持脚を漏斗状の汚物排出部に搭載できるようにした洗浄機本体とを備え、前記ペット支持台にペットが搭載したか否かを検出するセンサを前記洗浄機本体の適所に配置するとともに、前記ペット支持台の外縁部分にシャワーノズルおよび＼またはエアノズルを首振り可能に設置したことを特徴とするペット用糞尿洗浄装置。【選択図】図４
2019216702.tif 000002
【特許請求の範囲】
【請求項１】
中央を高くし、周辺を低くなるよう傾斜させてドーム状に形成したペット支持台と、該支持台を支承する支持脚と、該支持脚を漏斗状の汚物排出部に搭載できるようにした洗浄機本体とを備え、前記ペット支持台にペットが搭載したか否かを検出するセンサを前記洗浄機本体の適所に配置するとともに、
前記ペット支持台の外縁部分にシャワーノズルおよび＼またはエアノズルを首振り可能に設置したことを特徴とするペット用糞尿洗浄装置。
【請求項２】
前記ペット支持台は、中央を平板状に高くし、周辺を低くなるよう傾斜させてドーム状に形成されており、前記平板状の中央部分にペット用の砂を載置できるようにしたことを特徴とする請求項１に記載のペット用糞尿洗浄装置。
【請求項３】
前記シャワーノズルおよび＼またはエアノズルは、シャワーとエアとを切替可能とした共用ノズルであることを特徴とする請求項１または２に記載のペット用糞尿洗浄装置。
【請求項４】
前記ドーム状に形成したペット支持台は、表面が撥水機能を備えていることを特徴とする請求項１ないし３のいずれかに記載のペット用糞尿洗浄装置。
【請求項５】
前記漏斗状の汚物排出部は、別途設置された浄化槽へ汚物を強制的に圧送するための圧送ポンプを付設されていることを特徴とする請求項１ないし４のいずれかに記載のペット用糞尿洗浄装置。
【請求項６】
前記漏斗状の汚物排出部は、別途設置された上部へトイレを設置した浄化槽において、前記トイレと浄化槽との間に配設した基台を備え、該基台に取り付けた接続管に汚物排出部の端部を連結されていることを特徴とする請求項１ないし５のいずれかに記載のペット用糞尿洗浄装置。
【発明の詳細な説明】
【技術分野】
【０００１】
この発明は、水洗機能付のペット用糞尿洗浄装置に関するものである。
【背景技術】
【０００２】
従来のペット用糞尿洗浄装置としては、特開２０１５−１９６６３号公報（特許文献１参照）に示すような、ペットの散歩に使用するために片手で開閉でき、ロールペーパを内側に介在させ、ベルトコンベアでロールペーパを送り糞受け箱で処理する。外側に取手、太陽光パネルとペットボトル受け、音センサーを備えたペット用携帯トイレが知られている。
また、特開平６−３３５３３５号公報（特許文献２参照）には、犬・猫が入って排便する傾斜した便受け面と、この便受け面の傾斜の下端に設けた排水口とを持つ便器と、この便器の前端に直立した貯水タンクとの組み合わせからなり、貯水タンクから便器の縁の内部を通って便受け面の傾斜の上端に開口部する洗浄水路を形成し、貯水タンクには正面に犬・猫が便器に入ったのと出たのを検知するセンサーを設け、さらに貯水タンクの内部に所定の水位まで給水する自動給水弁と、犬・猫が所定時間以上便器上にいて退去した後に排水モーターを駆動して開弁する排水弁を組み込んだ、犬・猫用の自動水洗便器が記載されている。
【０００３】
またエンドレスベルトを使用したペット用糞尿洗浄装置としては、特開２０１０−６３４４７号公報（特許文献３参照）には、コンベアベルトを回転させてベルト上にした糞を進行方向先端に設けた糞収納器まで運び清掃する。さらに、ベルトに貼りつく糞は回転するコンベアベルトに糞取りベラを当てて剥がし清掃をする。２本の台車の間にトイレシートを敷いて排尿を吸収する。糞収納器内の紙シートをコンベアベルトの下部まで敷きベルトと擦られてベルト表面に付着の糞尿を拭き取る。電動清掃化に伴うリスクとして発生するペットの安全性については、低速モーターの使用、Ｂ接点スイッチによる自動停止機能の設置、糞収納器の自動開閉扉の設置を施してペットの安全を確保した。この発明品と電源の間には用途に応じてリモコンスイッチ、オリジナルタイムスイッチ等を利用し、その操作で稼動をコントロールするようにしたものも知られている。
【０００４】
なお、特開２０１１−１３０６８３号公報（特許文献４参照）には以下の動物用便器が示されている。すなわち、排泄物を通過させる多数の貫通穴が形成された天井板と、天井板に対して下方に離間して配置され、頂点部からその周囲に向かうにしたがって、徐々に高さが低くなるドーム状の受け面を有する拡散部とを備えている。拡散部の頂点部近傍には、洗浄液を周囲に流す洗浄液吐出部が備えられている。また、拡散部の下方には、ボウル状の内側面を有する回収器が備えられている。回収器の内側面の底部には、吸引ポンプに接続された回収穴が形成されている。回収穴の近傍には、センサーが取り付けられており、センサーが液体を検知すると、洗浄液吐出部から洗浄液が吐出されるとともに、吸引ポンプが吸引を実行する。
【先行技術文献】
【特許文献】
【０００５】
【特許文献１】特開２０１５−１９６６３号公報
【特許文献２】特開平６−３３５３３５号公報
【特許文献３】特開２０１０−６３４４７号公報
【特許文献３】特開２０１１−１３０６８３号公報
【発明の概要】
【発明が解決しようとする課題】
【０００６】
以上のように、過去にペット用糞尿洗浄装置の自動化も試みられているものの、ペットの確実な利用の確保、分解水洗い清掃ができる構造、衛生面の向上、特にペットの糞尿の悪臭の解消などの点が解決されないことが課題となり実用化までには至っていない。
また、コンベアベルトを回転させてベルト上にした糞を運ぶものにおいては、短期間でコンベアベルトにトラブルが生じやすく、安定した運転が難しいという問題があった。
さらに、特開２０１１−１３０６８３号公報（特許文献４参照）の先行技術においては、排泄物を通過させる多数の貫通穴が形成された天井板の上にペットが搭載しており、天井板の洗浄には触れられていないことから極めて不衛生であり、ほとんど実用に耐えられるものではないと考える。
この発明は、従来技術の以上のような欠点を解消するためになされたものであり、非常に衛生的でしかも悪臭の問題を解消したペット用糞尿洗浄装置の提供を目的とするものである。
【課題を解決するための手段】
【０００７】
すなわちこの発明のペット用糞尿洗浄装置は、中央を高くし、周辺を低くなるよう傾斜させてドーム状に形成したペット支持台と、該支持台を支承する支持脚と、該支持脚を漏斗状の汚物排出部に搭載できるようにした洗浄機本体とを備え、前記ペット支持台にペットが搭載したか否かを検出するセンサを前記洗浄機本体の適所に配置するとともに、
前記ペット支持台の外縁部分にシャワーノズルおよび＼またはエアノズルを首振り可能に設置したことを特徴とするものである。
【０００８】
この発明のペット用糞尿洗浄装置において、前記ペット支持台は、中央を平板状に高くし、周辺を低くなるよう傾斜させてドーム状に形成されており、前記平板状の中央部分にペット用の砂を載置できるようにしたことをも特徴とするものである。
【０００９】
この発明のペット用糞尿洗浄装置において、前記シャワーノズルおよび＼またはエアノズルは、シャワーとエアとを切替可能とした共用ノズルであることをも特徴とするものである。
【００１０】
この発明のペット用糞尿洗浄装置において、前記ドーム状に形成したペット支持台は、表面が撥水機能を備えていることをも特徴とするものである。
【００１１】
この発明のペット用糞尿洗浄装置において、前記漏斗状の汚物排出部は、別途設置された浄化槽へ汚物を強制的に圧送するための圧送ポンプを付設されていることをも特徴とするものである。
【００１２】
この発明のペット用糞尿洗浄装置において、前記漏斗状の汚物排出部は、別途設置された上部へトイレを設置した浄化槽において、前記トイレと浄化槽との間に配設した基台を備え、該基台に取り付けた接続管に汚物排出部の端部を連結されていることをも特徴とするものである。
【発明の効果】
【００１３】
請求項１のペット用糞尿洗浄装置は、ドーム状に形成したペット支持台と、該支持台を支承する支持脚と、該支持脚を漏斗状の汚物排出部に搭載できるようにした洗浄機本体とを備え、前記ペット支持台の外縁部分にシャワーノズルおよび＼またはエアノズルを首振り可能に設置したものであり、強力な水洗い清掃が可能で、しかも衛生面の向上のみならず、ペットの糞尿の悪臭をも解消したペット用糞尿洗浄装置を提供することができるようになった。
【００１４】
請求項２のペット用糞尿洗浄装置において、前記ペット支持台は、中央を平板状に高くし、周辺を低くなるよう傾斜させてドーム状に形成されており、前記平板状の中央部分にペット用の砂を載置できるようにしたものであり、ペットを前記ペット支持台の上に確実に誘い込むことができる。
【００１５】
請求項３のペット用糞尿洗浄装置において、前記シャワーノズルおよび＼またはエアノズルは、シャワーとエアとを切替可能とした共用ノズルであるため、非常に単純なシャワーノズルおよび＼またはエアノズル構造とすることが可能となった。
【００１６】
請求項４のペット用糞尿洗浄装置において、前記ドーム状に形成したペット支持台は、表面が撥水機能を備えており、確実な水洗い清掃が可能で、しかも衛生面の向上のみならず、ペットの糞尿の悪臭をも解消したペット用糞尿洗浄装置を提供することができるようになった。
【００１７】
請求項５のペット用糞尿洗浄装置において、前記漏斗状の汚物排出部は、別途設置された浄化槽へ汚物を強制的に圧送するための圧送ポンプを付設されており、汚物排出部に汚物を滞留させることがなく、したがってペットの糞尿の悪臭をも解消したペット用糞尿洗浄装置を提供することができるようになった。
【００１８】
請求項６のペット用糞尿洗浄装置において、前記漏斗状の汚物排出部は、別途設置された上部へトイレを設置した浄化槽において、前記トイレと浄化槽との間に配設した基台を備え、該基台に取り付けた接続管に汚物排出部の端部を連結したものである。したがって、既存の上部へトイレを設置した浄化槽へも簡単に連結することができ、迅速かつ低コストで設置することが可能となった。
【図面の簡単な説明】
【００１９】
【図１】この発明のペット用糞尿洗浄装置の第１実施例を示す概略斜視図である。
【図２】その概略断面図である。
【図３】前記ペット支持台上にシャワーノズルおよび＼またはエアノズルを首振りさせた状態の概略斜視図である。
【図４】そのペット支持台部分を透視した状態を示す概略斜視図である。
【図５】その概略平面図である。
【図６】その概略断面図である。
【図７】シャワーノズルおよび＼またはエアノズルを作動させている状態の概略断面図である。
【図８】この発明のペット用糞尿洗浄装置の第２実施例を示す概略斜視図である。
【図９】その概略断面図である。
【図１０】前記ペット支持台上にシャワーノズルおよび＼またはエアノズルを首振りさせた状態の概略斜視図である。
【図１１】その概略平面図である。
【図１２】その概略断面図である。
【図１３】この発明のペット用糞尿洗浄装置からの汚水を浄化槽へ投入するための部品を示す概略側面図である。
【図１４】その概略平面図である。
【発明を実施するための形態】
【００２０】
以下、この発明のペット用糞尿洗浄装置の実施の形態を図面に基いて詳細に説明する。
図１および図２に示すように、第１実施例のペット用糞尿洗浄装置１１は、中央を高くし、周辺を低くなるよう傾斜させてドーム状に形成したペット支持台１３と、この支持台１３を支承する所定間隔に配設した複数本の支持脚１４と、この支持脚１４を漏斗状の汚物排出部１５に搭載できるようにした洗浄機本体１２とを備えている。
さらに、前記ペット支持台１３にはペットが乗り移ったか否かを検出する柱状のセンサ１６を前記洗浄機本体１２の適所に配置してあり、前記ペット支持台１３の外縁部分にはシャワーノズルおよび＼またはエアノズル（以下ノズルという）１７を首振り可能に設置してある。
図３はノズル１７を首振りし、前記ペット支持台１３上に保持した状態を示すものである。図４および図５はそのペット支持台１３部分を透視した状態を示し、また図６は前記ノズル１７を前記ペット支持台１３上に保持した状態の概略を、図７は前記ノズル１７からシャワーないしエアを噴射している状態を示すものである。
【００２１】
なお本実施例において前記ペット支持台１３は、中央を平板状に高くし、周辺を低くなるよう傾斜させてドーム状に形成されており、前記平板状部分１３ａにペット用の砂を載置できるようにしてあるため、ペットを前記ペット支持台１３の上に確実に誘い込むことができる。
【００２２】
また本実施例のペット用糞尿洗浄装置１１において、前記ノズル１７は、前記ペット支持台１３の外縁部部分に立設した支柱１７ａと、その上端に水平方向に連結した保持アーム１７ｂと、該保持アーム１７ｂの端部に取り付けたノズル部１７ｃと、その下部に取り付けたテーパ状の傘１７ｄとを備え、所定の信号を受けて自動的に首振りし、前記ペット支持台１３上に移動したり、前記ペット支持台１３上から後退するようになっている。
このノズル１７は二重管として同時に噴射するものとしても、シャワーとエアとを切替可能とした共用ノズルであってもよい。このようにすれば非常に構造の単純なシャワーノズルおよび＼またはエアノズル構造とすることができる。
【００２３】
本実施例のペット用糞尿洗浄装置１１において、前記ドーム状に形成したペット支持台１３は、表面が撥水機能を備えていることができる。その場合には、ペット支持台１３を構成するプラスチック素材あるいはゴム素材そのものに撥水性を持たせたり、あるいは素材表面に撥水処理を施すようにしてもよい。
そしてこのようにすれば、確実な水洗い清掃が可能で、しかも衛生面の向上のみならず、ペットの糞尿の悪臭をも解消したペット用糞尿洗浄装置を提供することができる。
図において１８は、前記洗浄機本体１２の適所に配置した所定の長さの爪とぎ台、１９は前記ペット支持台１３を支承する複数本の支持脚１４間に配置した活性炭等の防臭材である。
【００２４】
以下、図面に基いて第１実施例のペット用糞尿洗浄装置の動作について詳しく説明する。
まず通常は、図１および図２に示すように、ノズル１７は前記ペット支持台１３上から外れた位置にセットされている。
そしてペットは、前記ペット支持台１３の平板状部分１３ａに載置したペット用の砂で誘うことにより、前記ペット支持台１３の上に確実に誘い込むことができ、ペットは前記ペット支持台１３の上（Ａ位置）でペット用の砂に向けて用便する。
なお、ペットによっては前記ペット支持台１３の上に乗ることを嫌がって、前記洗浄機本体１２の漏斗状の汚物排出部１５の外縁の上（Ｂ位置）でペット用の砂に向けて用便することもある。
その後、ペットが前記ペット支持台１３の上からいなくなったことをセンサ１６が検知すると、図３ないし図６に示すように、前記ノズル１７が自動的に回転する。
そして図７に示すように、前記ペット支持台１３上のペットの糞尿はノズル１７から噴射されるシャワーおよび＼またはエアにより洗い流され、前記ペット支持台１３上から無理なく流し落とされる。
【００２５】
ペットの糞尿はその後、前記漏斗状の汚物排出部１５から適宜浄化槽（図示省略）等に排出されて処理されるのである。
その際、前記ペット支持台１３上のペットの糞尿は、図７に示すようにノズル１７から噴射されるシャワーおよび＼またはエアにより効率的に洗い流されるため、節水ができることは勿論、前記ペット支持台１３の撥水性と相まって、常にペット用糞尿洗浄装置１１を非常に衛生的な状態に保つことができる。
【００２６】
この実施例は以上のように構成したため、ペットが確実に利用するものとなり、また分解水洗い清掃が容易で、しかも衛生面の向上のみならず、ペットの糞尿の悪臭を解消したペット用糞尿洗浄装置を提供することができるようになった。
特に、水洗した糞尿は浄化槽や下水に流すことができるため、衛生面での貢献は非常に大きなものである。
【００２７】
図８および図９に示すように、第２実施例のペット用糞尿洗浄装置２１も、中央を高くし、周辺を低くなるよう傾斜させてドーム状に形成したペット支持台２３と、この支持台２３を支承する所定間隔に配設した複数本の支持脚２４と、この支持脚２４を漏斗状の汚物排出部２５に搭載できるようにした洗浄機本体２２とを備えている。
さらに、前記ペット支持台２３にはペットが乗り移ったか否かを検出する柱状のセンサ２６を前記洗浄機本体２２の適所に配置してあり、前記ペット支持台２３の外縁部分にはシャワーノズルおよび＼またはエアノズル（以下ノズルという）２７を首振り可能に設置してある。
図１０はノズル２７を首振りし、前記ペット支持台２３上に保持した状態を示す斜視図である。図１１はそのペット支持台２３部分を示す平面図であり、また図１２は前記ノズル２７からシャワーないしエアを噴射している状態を示すものである。
【００２８】
なお本実施例においても前記ペット支持台２３は、中央を平板状に高くし、周辺を低くなるよう傾斜させてドーム状に形成されており、前記平板状部分２３ａにペット用の砂を載置できるようにしてあるため、ペットを前記ペット支持台２３の上に確実に誘い込むことができる。
もちろん、前記平板状部分２３ａに代えてドーム状にしてもよい。
【００２９】
また本実施例のペット用糞尿洗浄装置２１において、前記ノズル２７は、前記ペット支持台２３の外縁部部分に立設した支柱２７ａと、その上端に水平方向に連結した保持アーム２７ｂと、該保持アーム２７ｂの端部に取り付けたノズル部２７ｃと、その下部に取り付けたテーパ状の傘２７ｄとを備え、所定の信号を受けて自動的に首振りし、前記ペット支持台２３上に移動したり、前記ペット支持台２３上から後退するようになっている。
このノズル２７は二重管として同時に噴射するものとしても、シャワーとエアとを切替可能とした共用ノズルであってもよい。このようにすれば非常に構造の単純なシャワーノズルおよび＼またはエアノズル構造とすることができる。
【００３０】
本実施例のペット用糞尿洗浄装置２１において、前記ドーム状に形成したペット支持台２３は、表面が撥水機能を備えていることができる。その場合には、ペット支持台２３を構成するプラスチック素材あるいはゴム素材そのものに撥水性を持たせたり、あるいは素材表面に撥水処理を施すようにしてもよい。
そしてこのようにすれば、確実な水洗い清掃が可能で、しかも衛生面の向上のみならず、ペットの糞尿の悪臭をも解消したペット用糞尿洗浄装置を提供することができる。
図において２８は、前記洗浄機本体２２の適所に配置した所定の長さの爪とぎ台、２９は前記ペット支持台２３を支承する複数本の支持脚２４間に配置した活性炭等の防臭材である。
【００３１】
本実施例において、前記漏斗状の汚物排出部２５は、別途設置された浄化槽へ汚物を強制的に圧送するための圧送ポンプＰを前記洗浄機本体２２内に付設されており、汚物排出部２５に汚物を滞留させることがなく、したがってペットの糞尿の悪臭をも解消したペット用糞尿洗浄装置を提供することができる。
【００３２】
以下、図面に基いて第２実施例のペット用糞尿洗浄装置の動作について詳しく説明する。
まず通常は、図８および図９に示すように、ノズル２７は前記ペット支持台２３上から外れた位置にセットされている。
そしてペットは、前記ペット支持台２３の平板状部分２３ａに載置したペット用の砂で誘うことにより、前記ペット支持台２３の上に確実に誘い込むことができ、ペットは前記ペット支持台２３の上（Ａ位置）でペット用の砂に向けて用便する。
なお、ペットによっては前記ペット支持台２３の上に乗ることを嫌がって、前記洗浄機本体２２の漏斗状の汚物排出部２５の外縁の上（Ｂ位置）でペット用の砂に向けて用便することもある。
その後、ペットが前記ペット支持台２３の上からいなくなったことをセンサ２６が検知すると、図１０および図１１に示すように、前記ノズル２７が自動的に回転する。
そして図１２に示すように、前記ペット支持台２３上のペットの糞尿はノズル２７から噴射されるシャワーおよび＼またはエアにより洗い流され、前記ペット支持台２３上から無理なく流し落とされる。
【００３３】
ペットの糞尿はその後、前記漏斗状の汚物排出部２５から前記洗浄機本体２２内の流路に付設した圧送ポンプＰで強制的に適宜浄化槽（図示省略）等に排出されて処理されるのである。
その際、前記ペット支持台２３上のペットの糞尿は、図１２に示すようにノズル２７から噴射されるシャワーおよび＼またはエアにより効率的に洗い流されるため、節水ができることは勿論、前記ペット支持台２３の撥水性と相まって、常にペット用糞尿洗浄装置２１を非常に衛生的な状態に保つことができる。
【００３４】
この実施例は以上のように構成したため、ペットが確実に利用するものとなり、また分解水洗い清掃が容易で、しかも衛生面の向上のみならず、ペットの糞尿の悪臭を解消したペット用糞尿洗浄装置を提供することができるようになった。
特に、水洗した糞尿は浄化槽や下水に流すことができるため、衛生面での貢献は非常に大きなものである。
【００３５】
次に、図１３および図１４は、この発明のペット用糞尿洗浄装置からの汚水を浄化槽へ投入するための部品を示すものである。
すなわち、浄化槽３２の上部に設置しているタイプのトイレ３１において、前記浄化槽３２の上に所定の高さの基台３４を備えた接続部材３３を設置する。この接続部材３３は、前記漏斗状の汚物排出部（２５）からの汚水を受け入れて前記浄化槽３２の投入する接続管３５を基台３４の適所に配設されている。
したがって、前記漏斗状の汚物排出部（２５）からの汚水は、前記接続管３５から無理なく前記浄化槽３２へ排出することができるのである。
【産業上の利用可能性】
【００３６】
この発明は以上のように構成したため、ネコや犬等のペットが確実に利用するペット用糞尿洗浄装置となるが、ネコや犬等以外のペットや動物等の利用する水洗トイレとしても適用できることはいうまでもない。
【符号の説明】
【００３７】
１１  ペット用糞尿洗浄装置
１２  洗浄機本体
１３  ペット支持台
１３ａ  平板状部分
１４  支持脚
１５  汚物排出部
１６  センサ
１７  ノズル
１７ａ  支柱
１７ｂ  保持アーム
１７ｃ  ノズル部
１７ｄ  傘
１８  爪とぎ台
１９  防臭材
２１  ペット用糞尿洗浄装置
２２  洗浄機本体
２３  ペット支持台
２３ａ  平板状部分
２４  支持脚
２５  汚物排出部
２６  センサ
２７  ノズル
２７ａ  支柱
２７ｂ  保持アーム
２７ｃ  ノズル部
２７ｄ  傘
２８  爪とぎ台
２９  防臭材
３１  トイレ
３２  浄化槽
３３  接続部材
３４  基台
３５  接続管
Ａ  ペット支持台の上
Ｂ  汚物排出部の外縁の上
Ｐ  圧送ポンプ
【図１】
2019216702.tif 000003
【図２】
2019216702.tif 000004
【図３】
2019216702.tif 000005
【図４】
2019216702.tif 000006
【図５】
2019216702.tif 000007
【図６】
2019216702.tif 000008
【図７】
2019216702.tif 000009
【図８】
2019216702.tif 000010
【図９】
2019216702.tif 000011
【図１０】
2019216702.tif 000012
【図１１】
2019216702.tif 000013
【図１２】
2019216702.tif 000014
【図１３】
2019216702.tif 000015
【図１４】
2019216702.tif 000016